(57)【要約】【課題】薄型表示装置のスタンドに関して、輸送時の軽量化及び複数の大きさに対応が容易な表示装置用のスタンドを実現する技術を提供する。【解決手段】液晶テレビ１０は、荷重センサ９１と、水位センサ９２と、状態検知部９３と、警告用ＬＥＤ９８とを有している。状態検知部９３は、荷重センサ９１や水位センサ９２の検出結果を取得し、スタンド本体５０（第１〜第４のスタンドタンク５１〜５４）に流動物が規定量充填されているか判断する。流動物が規定量充填されていないと判断した場合、状態検知部９３は、警告を映像出力部８５（表示部本体１２）に表示したり、警告用ＬＥＤ９８所望に点灯させて警告する。【選択図】図５
2014048369.tif 000002
【特許請求の範囲】
【請求項１】
流動物が充填されるタンク部を有するスタンドと、
前記タンク部への前記流動物の充填状態を検知するセンサと、
検知結果に応じて表示動作を制御する制御部と、
を備え、
前記タンク部は、複数のタンク部材から構成されている
ことを特徴とする薄型表示装置。
【請求項２】
前記センサは、前記タンク部の重量を検知することを特徴とする請求項１に記載の薄型表示装置。
【請求項３】
前記センサは、前記タンク部に充填された流動物の高さを検知することを特徴とする請求項１または２に記載の薄型表示装置。
【請求項４】
前記制御部は、前記スタンドが用いられる設置態様であって、前記タンク部への前記流動物の充填状態が不適切であると判断したときに、ユーザに対してその旨を報知することを特徴とする請求項１から３のいずれかに記載の薄型表示装置。
【発明の詳細な説明】
【技術分野】
【０００１】
本発明は、液晶表示装置や有機ＥＬ表示装置等の薄型表示装置に関する。
【背景技術】
【０００２】
液晶テレビ等の薄型表示装置では近年大型化が進んでおり、それらの表示パネルを支持するスタンドも必然的に大型化・重量化される。一般には、表示装置として複数サイズの機種が用意されることから、スタンドに関しても、表示パネルの画面サイズに応じて複数の専用の成形用金型等が必要であり、スタンドの開発及び部材コスト、つまり表示装置全体としてコストが高くなる等の課題がある。
【０００３】
そこで上記課題を解決するために様々な技術が提案されている。例えば、複数の機種の表示装置に対応して柱体のベースへの取付位置を変更、共有することができるスタンドが提案されている（例えば、特許文献１参照）。具体的には、機種が異なる表示装置本体にスタンドを取り付ける際、横方向に離隔した複数の位置に開設してある複数の第１孔を選択して柱体をベースに取り付けるようにしている。その結果、ベース及び該ベースを成形するための成形型を共有にすることができ、スタンドのコスト、及びスタンドを備える表示装置のコストを低減している。
【０００４】
また、別の技術として、転倒防止用機器や部材を用いることなく、テレビジョン受像機の重心を略中央部に移動させることにより転倒を防止し、移動が容易で、しかも輸送や保管時でのテレビジョン受像機の重量を増加させることがないようにした技術がある（例えば、特許文献２参照）。具体的には、ブラウン管背面の筐体部分に流動物を充填可能としている。
【先行技術文献】
【特許文献】
【０００５】
【特許文献１】特開２０１１−６４７９８号公報
【特許文献２】特開２０００−２７８６２９号公報
【発明の概要】
【発明が解決しようとする課題】
【０００６】
ところで、大型テレビの場合は、それに伴ってスタンドも大きく、重量も大きくなる。したがって、輸送時の重量も増大し、コストアップとなっている。一方、大型テレビでは、使用される国によっては壁掛け態様での使用も増えている。壁掛けで使用する場合には、スタンドは不要物となっている。そのため、輸送時のスタンドの重量を軽減しつつ、スタンド使用時に所定の仕様を満足する構造が求められていた。
【０００７】
当然に、上述したように、液晶テレビのスタンドは、パネルサイズ毎、デザイン毎の専用設計となっており、液晶テレビのデザインにより、スタンドの化粧カバーを変えたり、ガラススタンドにしたりするなどの設計がなされている。そのため、液晶テレビ開発におけるスタンドの開発コストも大きな部分を占め、またスタンド自体が鉄やガラス等を使用することから、部材コストとしても非常に高くなってしまうという課題があった。特に、液晶テレビ等では大型化すればするほど、それを支える土台、スタンドの重量も大きく・重くなる。そして、大きく・重くなれば、その分コストも増大し、また、テレビの梱包材もその分の大きさが必要で、セット全体の重量が重くなることから、輸送コストにも影響してくるという課題があった。
【０００８】
特許文献１に開示の技術では、スタンドを共有化することによるスタンドのコスト、及びスタンドを備える表示装置のコストを低に関して、一定の効果が得られているが、スタンドのベースを重ね合わせることにより共有化しようとしている。ベース部材の支柱取付位置が決まっている以上、横方向に重ね合わせた時に使用できるのは、スタンドの支柱の間隔が２倍のサイズのみであり、共用化可能範囲が十分でなく別の技術が求められていた。
【０００９】
特許文献２に開示の技術では、ブラウン管タイプのテレビを想定したものであって、薄型表示装置に適用可能な別の技術が求められていた。
【００１０】
本発明は以上のような状況に鑑みなされたものであって、上記課題を解決する技術を提供することを目的とする。
【課題を解決するための手段】
【００１１】
本発明の薄型表示装置は、流動物が充填されるタンク部を有するスタンドと、前記タンク部への前記流動物の充填状態を検知するセンサと、検知結果に応じて表示動作を制御する制御部と、を備え、前記タンク部は、複数のタンク部材から構成されている。
また、前記センサは、前記タンク部の重量を検知してもよい。
また、前記センサは、前記タンク部に充填された流動物の高さを検知してもよい。
また、前記制御部は、前記スタンドが用いられる設置態様であって、前記タンク部への前記流動物の充填状態が不適切であると判断したときに、ユーザに対してその旨を報知してもよい。
【発明の効果】
【００１２】
本発明によれば、薄型表示装置のスタンドに関して、輸送時の軽量化及び複数の大きさに対応が容易な表示装置用のスタンドを実現する技術を提供することができる。
【図面の簡単な説明】
【００１３】
【図１】実施形態に係る、液晶テレビを示す斜視図である。
【図２】実施形態に係る、スタンド部を示す上斜視図である。
【図３】実施形態に係る、スタンド部を示す下斜視図である。
【図４】実施形態に係る、表示部本体とスタンド部とを示す図である。
【図５】実施形態に係る、液晶テレビの機能ブロック図である。
【図６】実施形態に係る、荷重センサの検知結果に基づく処理を示すフローチャートである。
【図７】実施形態に係る、画面の警告例を示す図である。
【図８】実施形態に係る、画面の警告例を示す図である。
【図９】実施形態に係る、画面の警告例を示す図である。
【図１０】実施形態の変形例に係る、スタンド本体を示す図である。
【発明を実施するための形態】
【００１４】
次に、本発明を実施するための形態（以下、単に「実施形態」という）を、図面を参照して具体的に説明する。
【００１５】
本実施形態の概要は次の通りである。
（１）薄型表示装置の一形態である液晶テレビのスタンド部、特にベース部分にタンク構造を採用する。タンク構造には、ユーザが水などの流動物を充填することで、スタンドとして機能する所定の重量が実現される。
（２）タンク構造は、液晶テレビの複数のサイズに対応可能とするために、複数のパーツを適当に組み合わせて所望の大きさ、つまり、所望の重量が実現できるようにあっている。
（３）スタンド設置を適切に行うことを支援するために、組み立てミスを防止できるタンク構造を採用するとともに、タンク構造への流動物の適切な充填を可能とするセンサが設けられる。
（４）流動物が規定通り充填されているかについては、荷重センサ（または水位センサ）により判断を行い、条件を満たさない場合には液晶テレビの使用制限や、あるいは画面上に警告表示を行う。
【００１６】
図１は本実施形態に係る液晶テレビ１０の外観を示す図である。図示のように、液晶テレビ１０は、液晶表示パネル等を有する表示部本体１２と、据置状態で使用するために表示部本体１２を支持するスタンド部２０とを有する。このスタンド部２０はタンク構造を備え、内部に水等の流動物を充填することができる。スタンド部２０に流動物を適切に充填することで、所望のスタンド重量になり、液晶テレビ１０のスタンド部２０として所望の機能・性能が実現される。
【００１７】
図２はスタンド部２０を示す図であって、図１の液晶テレビ１０から表示部本体１２を取り外した状態を示している。また、図３はスタンド本体５０のスタンドベース部５７を下から見た図である。また、図４は、表示部本体１２とスタンド部２０とを分離して示した図である。なお、図４では、スタンド本体５０のうち、第２〜第４のスタンドタンク５２〜５４を省いて示している。
【００１８】
図示のように、スタンド部２０は、上側にモニタ固定部２２が設けられた支柱部３０と、支柱部３０が固定される台座となるスタンド本体５０とを備える。モニタ固定部２２は、一般的な固定金具であって、後述の図４に示す表示部本体１２の背面に設けられたスタンド取付部１８に固定される。
【００１９】
スタンド本体５０は、第１〜第４のスタンドタンク５１〜５４及びスタンドベース部５７から構成されている。第１〜第４のスタンドタンク５１〜５４は、内部に流動体を充填可能になっており、スタンドベース部５７の上面に配置される。スタンド本体５０は、流動物が充填された状態で、少なくともＵＬ規格の転倒角１５°を満足する。なお、第１〜第４のスタンドタンク５１〜５４のいずれが使用されるかは、液晶テレビ１０の画面サイズに応じて定まる。つまり、画面サイズが小さい場合は、第１のスタンドタンク５１のみが使用される。一方、画面サイズが大きい場合、第１〜第４のスタンドタンク５１〜５４の全てが使用される。また、スタンドベース部５７は、必要とされる大きさに設定される。
【００２０】
第１のスタンドタンク５１は、上面視で略長方形の形状で、所定の高さとなっている。第１のスタンドタンク５１は、最も中央側（内部側）に配置される。第２のスタンドタンク５２は、上面視で枠状に形成されており、第１のスタンドタンク５１の外周面を囲うように配置される。同様に、第３のスタンドタンク５３は、上面視で枠状に形成されており、第２のスタンドタンク５２の外周面を囲うように配置される。同様にまた、第４のスタンドタンク５４は、上面視で枠状に形成されており、第３スタンドタンク５３外周面を囲うように配置される。
【００２１】
スタンドベース部５７は例えば金属やガラス等の板状体である。スタンドベース部５７の上面には支柱部３０が固定されるとともに、上述のように第１〜第４のスタンドタンク５１〜５４が配置・固定される。また、スタンドベース部５７の下面には、図３や図４に示すように、荷重センサ９１が取り付けられる。荷重センサ９１に接続される接続ケーブル７２は、支柱部３０の内部を通って、支柱部３０の背面側上部近傍で外部に延出する。延出した端部にはセンサ端子７４が取り付けられており、スタンド取付部１８の側壁部分に設けられた端子挿入部９６に挿入される。なお、液晶テレビ１０が壁掛け状態で使用される場合、つまり、スタンド部２０が使用されない場合には、荷重センサ９１のセンサ端子７４の替わりにセンサキャンセル用端子７６がセンサキャンセル用端子７６に挿入される。なお、センサ端子７４やセンサキャンセル用端子７６は、いわゆるスイッチとしても機能し、ユーザがいずれも接続をしなかった場合には、液晶テレビ１０は起動しない。
【００２２】
図５は、液晶テレビ１０の機能ブロックを示し、ここでは本実施形態に特徴的な構成に着目して示している。図示のように、液晶テレビ１０は、一般的なデジタル放送テレビの機能を実現する構成として、チューナ部８１と、制御部８２と、ＯＳＤ生成部８３と、出力制御部８４と、映像出力部８５と、音声出力部８６と電源部８７とを有している。
【００２３】
さらに、液晶テレビ１０は、荷重センサ９１と、水位センサ９２と、状態検知部９３と、警告用ＬＥＤ９８とを有している。荷重センサ９１と水位センサ９２は、選択的にいずれかが搭載されてもよい。
【００２４】
状態検知部９３は、荷重センサ９１や水位センサ９２の検出結果を取得し、スタンド本体５０（第１〜第４のスタンドタンク５１〜５４）に流動物が規定量充填されているか判断する。流動物が規定量充填されていないと判断した場合、状態検知部９３は、後述する処理（図６）によって、警告を映像出力部８５（表示部本体１２）に表示したり、警告用ＬＥＤ９８所望に点灯させて警告する。
【００２５】
また、センサ端子７４やセンサキャンセル用端子７６が端子挿入部９６に挿入されているか否かを検知し、いずれも端子挿入部９６に挿入されていない場合には、制御部８２に通知し、電源がオンしないように制御する。つまり、荷重センサ９１が表示部本体１２に接続されていなくとも、センサキャンセル用端子７６が端子挿入部９６に挿入されていれば、壁掛け状態による設置と判断して、電源がオンされる。
【００２６】
まず、スタンド性能が満足出来ない状態になっている場合の処理を簡単に説明する。ユーザが間違えて４６インチ用のスタンド２０を６０インチの液晶テレビ１０に使用しようとした場合や、スタンド本体５０への流動物の充填が大きく不足している場合、つまり転倒角がＵＬ規格１５°を満足出来ていない場合が相当する。この場合は、液晶テレビ１０の電源がオンにならない。ハードスイッチ付きの液晶テレビ１０の場合には、ＡＮＤ回路が追加されて、両方がオンの状態となって始めて液晶テレビ１０が起動する。
【００２７】
なお、液晶テレビ１０の電源が完全に入らない仕様にした場合には、ユーザが故障したと誤認する恐れがある。そこで、一旦電源は入るが、液晶テレビ１０の映像出力部８５（表示部本体１２）には図７に示すような「スタンドが正しく設置されていません。スタンドの重量・水の充填が正しく行われているか確認してください」等のエラー表示が一定時間（例えば、３０秒間）表示されて、その後電源がオフする仕様としてもよい。
【００２８】
また、画面表示による警告だけでなく音声出力部８６（スピーカー）から音声で警告がなされたり、警告用ＬＥＤ９８への点灯による警告がなされてもよい。
【００２９】
つぎに、スタンド性能をギリギリ満足している状態の場合の処理について簡単に説明する。この状態は、転倒角がＵＬ規格１５°をギリギリ満足している状態、あるいはＵＬ規格１５°は満足しているが、メーカーの設計値（推奨値）よりも低い場合、つまり充填が少し足りない場合等がこれに相当する。この場合、すぐに問題となるわけではないので、液晶テレビ１０の電源部８７はオンするが、図８（ａ）に示すように「スタンドの水が正しく規定量充填されているか確認してください。」等の警告が、液晶テレビ１０の起動毎に表示される。または、図８（ｂ）に示すように、上記警告が映像出力部８５の画面上に常に表示され、かつ、その警告文の下側に矢印でスタンド部２０を指し示すマークが表示される。音声での警告の場合でも、起動時に警告音声が再生されるようにする。
【００３０】
つづいて、スタンド性能を問題なく満足している場合の処理について簡単に説明する。これは、メーカー側の設計値（推奨値）の通り、またはそれ以上の転倒角を満足出来る状態にある場合がこれに相当する。当然何ら問題はないため、液晶テレビ１０の使用が可能である。しかし、充填物が何らかの理由により、上述のような不適切な状態になってしまった場合には、上述のエラー表示が画面表示あるいは音声により警告される。
【００３１】
以上の構成による充填状態の検知及び検知結果に基づく処理を図６のフローチャートを参照して説明する。
【００３２】
電源部８７がＡＣ電源に通電されると（Ｓ１０）、状態検知部９３は設置状態を確認する（Ｓ１２）。設置状態の確認は、端子挿入部９６に挿入されているセンサ端子７４またはセンサキャンセル用端子７６の有無で判断される。
【００３３】
端子挿入部９６にセンサ端子７４が接続されていない場合（Ｓ１４のＮ）、状態検知部９３はセンサキャンセル用端子７６が接続されているか否かを判断する（Ｓ１６）。
【００３４】
センサキャンセル用端子７６が接続されている場合（Ｓ１６のＹ）、状態検知部９３は壁掛け状態による設置と判断して（Ｓ１８）、通常通り液晶テレビ１０の起動処理を実行・完了する（Ｓ２０）。
【００３５】
センサキャンセル用端子７６が接続されていない場合（Ｓ１６のＮ）、状態検知部９３は、液晶テレビ１０の起動処理を行わない（Ｓ２２）。なお、警告表示のみがなされてもよい。
【００３６】
一方、Ｓ１４の処理で、センサ端子７４（荷重センサ９１）が端子挿入部９６に接続されていると判断した場合（Ｓ１４のＹ）、状態検知部９３は、設置状態を据置態様であると判断し（Ｓ２４）、流動物の充填状態を確認する（Ｓ２６）。
【００３７】
流動物の充填量が推奨量以上である場合（Ｓ２８のＹ）、状態検知部９３は、スタンド部２０は適切な状態にあると判断し、液晶テレビ１０の通常の起動処理を実行・完了させる（Ｓ３０）。
【００３８】
流動物の充填量が推奨量未満である場合（Ｓ２８のＮ）、状態検知部９３はＵＬ規格を満たす量であるか否かを判断する（Ｓ３２）。
【００３９】
ＵＬ規格を満たす量以上である場合（Ｓ３２のＹ）、状態検知部９３は、映像出力部８５に所定の警告を表示し（Ｓ３４）、液晶テレビ１０の起動処理を実行・完了させる（Ｓ３０）。
【００４０】
ＵＬ規格を満たす量未満である場合（Ｓ３２のＮ）、状態検知部９３は、映像出力部８５に所定の警告を表示し（Ｓ３６）、液晶テレビ１０起動処理を完了させず、シャットダウン処理を実行する（Ｓ３８）。なお、ＵＬ規格を満たす量未満を放置した場合、例えば、連続してＵＬ規格を満たす量未満であることが検知されたときなどは、状態検知部９３は追加の警告を実行する（Ｓ４０）。
【００４１】
なお、水位センサ９２により流動物の充填量を検出する場合、第１〜第４のスタンドタンク５１〜５４のそれぞれに設けられた水位センサ９２が、スタンドタンク内の水位が指定量充填されているかを検出する。各スタンドタンクのふたの部分に水位センサ９２が取り付けられており、水位が規定量以上入れば、水位センサ９２が水に触れる状態となる。水位センサ９２にはテレビ立ち上げ時に一定時間電圧がかかるように構成し、もし、水位センサ９２が水に触れていれば電流が流れる。また、水に触れなければ電流は流れない。このようにして検知を行う。
【００４２】
以上、本実施形態によると、スタンド部２０にタンク構造を採用することで、液晶テレビ１０の梱包状体における重量を軽くすることができ、運搬効率の向上及びコスト削減が出来る。また、ユーザの組み立てミス等により、液晶テレビ１０のスタンド部２０の重量不足等で転倒してしまうことを防止できる。
【００４３】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【００４４】
例えば、上述のスタンド部２０の構造の替わりに、図１０に示すようなスタンド部１２０が採用されてもよい。図１０（ａ）に示すスタンド部１２０は、スタンド本体として上面視長方形の第１のスタンドタンク１５１ａ、１５１ｂ、上面視Ｌ字状の第２のスタンドタンク１５２ａ、１５２ｂ及び第３のスタンドタンク１５３が用いられている。このスタンド部１２０は例えば画面サイズが６０インチクラスの液晶テレビ１０に使用される。第１のスタンドタンク１５１ａ、１５１ｂは前後で対称となっている。また、第２のスタンドタンク１５２ａ、１５２ｂは左右で対称となっている。
【００４５】
図１０（ｂ）に示すスタンド部１２０は、例えば画面サイズが４６インチクラスの場合に使用される。この場合、スタンド部１２０は、スタンド本体として第１のスタンドタンク１５１ａ、１５１ｂ、及び第２のスタンドタンク１５２ａ、１５２ｂが用いられており、第３のスタンドタンク１５３は用いられない。
【００４６】
図１０（ｃ）に示すスタンド部１２０は、例えば画面サイズが２０インチクラスの場合に使用される。この場合、スタンド部１２０は、スタンド本体として第１のスタンドタンク１５１ａ、１５１ｂのみ用いられ、第２のスタンドタンク１５２ａ、１５２ｂ及び第３のスタンドタンク１５３は用いられない。
【符号の説明】
【００４７】
１０  液晶テレビ
１２  表示部本体
１８  スタンド取付部
２０、１２０  スタンド部
２２  モニタ固定部
３０  支柱部
５０  スタンド本体
５１、１５１ａ、１５１ｂ  第１のスタンドタンク
５２、１５２ａ、１５２ｂ  第２のスタンドタンク
５３、１５３  第３のスタンドタンク
５４  第４のスタンドタンク
５７  スタンドベース部
７２  接続ケーブル
７４  センサ端子
７６  センサキャンセル用端子
８１  チューナ部
８２  制御部
８３  ＯＳＤ生成部
８４  出力制御部
８５  映像出力部
８６  音声出力部
８７  電源部
９１  荷重センサ
９２  水位センサ
９３  状態検知部
９６  端子挿入部
９８  警告用ＬＥＤ
【図１】
2014048369.tif 000003
【図２】
2014048369.tif 000004
【図３】
2014048369.tif 000005
【図４】
2014048369.tif 000006
【図５】
2014048369.tif 000007
【図６】
2014048369.tif 000008
【図７】
2014048369.tif 000009
【図８】
2014048369.tif 000010
【図９】
2014048369.tif 000011
【図１０】
2014048369.tif 000012